(57)【要約】  【課題】メールなどのテキスト情報をわかりやすく投射する電子機器を提供する。  【解決手段】プロジェクタ付き携帯電話機１０は受信メールの内容をメイン液晶表示器２０４に表示する。プロジェクタモジュール６（図１）の投射スイッチがオンされている場合には、メイン液晶表示器２０４に表示する代わりにプロジェクタモジュール６により投射する。プロジェクタモジュール６に投射させる際にメイン液晶表示器２０４の表示をオフする。プロジェクタモジュール６には、縦横の文字数が１０×１０で表示されるメイン液晶表示器２０４の表示画面に比べて多くの文字数を投射する液晶パネル６２（図２）を備える。プロジェクタ付き携帯電話機１０は、縦横の文字数が等しく表示されているメイン液晶表示器２０４の表示画面に比べて、横方向の文字数が多くなるように縦横比率（行列比率）を変更した上で受信メールの内容を投射する。  【選択図】図６
2006091112.tif 000002
【特許請求の範囲】
【請求項１】
像を投射するプロジェクタ装置と、
テキストを含む情報から生成した表示用データを表示する表示装置と、
前記表示装置が表示する情報と同一の情報であって、少なくとも前記表示用データを含むように生成した投射用データによる像を投射するように前記プロジェクタ装置を制御する投射制御手段とを備えることを特徴とする電子機器。
【請求項２】
請求項１に記載の電子機器において、
前記投射制御手段は、少なくとも前記テキストが並ぶ方向に前記表示装置が表示する文字数より多くの文字を含む像を前記プロジェクタ装置に投射させることを特徴とする電子機器。
【請求項３】
請求項１または２に記載の電子機器において、
前記プロジェクタ装置の投射解像度は前記表示装置の表示解像度より高いことを特徴とする電子機器。
【請求項４】
請求項１〜３のいずれか一項に記載の電子機器において、
前記投射制御手段は、前記情報に含まれる文字数に応じて投射像に許容する文字数および文字サイズを決定し、決定した文字数および文字サイズで構成される像を前記プロジェクタ装置に投射させることを特徴とする電子機器。
【請求項５】
請求項４に記載の電子機器において、
前記投射制御手段は前記許容する文字数に上限を定め、前記情報に含まれる文字数が前記上限を超える場合は、前記上限の文字数および前記上限に対応する文字サイズで構成される像を前記プロジェクタ装置に投射させるとともに、投射像の内容をスクロールさせることを特徴とする電子機器。
【請求項６】
像を投射するプロジェクタ装置と、
テキストを含む情報から生成した表示用データを表示する表示装置と、
投射指示に応じて、前記表示装置に受信メールの内容を表示させ、前記表示されている受信メールに添付されているファイルの内容を含む像を前記プロジェクタ装置に投射させるように制御する制御手段とを備えることを特徴とする電子機器。
【請求項７】
請求項６に記載の電子機器において、
切替え指示に応じて、前記受信メールに添付されているファイルの内容を前記表示装置に表示させるとともに、前記受信メールの内容をプロジェクタ装置に投射させるように前記制御手段に指令を送る切替え制御手段をさらに備えることを特徴とする電子機器。
【請求項８】
像を投射するプロジェクタ装置と、
テキストを含む情報から生成した表示用データを表示する表示装置と、
投射指示に応じて、前記表示装置に受信メールリストを表示させ、前記表示中の受信メールリストから選択された受信メールの内容を含む像を前記プロジェクタ装置に投射させるように制御する制御手段とを備えることを特徴とする電子機器。
【請求項９】
像を投射するプロジェクタ装置と、
テキストを含む情報から生成した表示用データを表示する表示装置と、
受信メール表示指示に応じて前記プロジェクタ装置の投射処理を開始する投射制御手段とを備えることを特徴とする電子機器。
【発明の詳細な説明】
【技術分野】
【０００１】
本発明は、テキストなどの情報を投射するプロジェクタ装置を備える電子機器に関する。
【背景技術】
【０００２】
携帯電話機などの小型機器にプロジェクタを搭載した電子機器が知られている（特許文献１参照）。特許文献１に記載のプロジェクタ付き携帯電話機は、通話者が通話しながら通話者自身の手のひらに情報を投射したり、通話しながら壁面に情報を投射したりする。
【０００３】
【特許文献１】特開２０００−２３６３７５号公報
【発明の開示】
【発明が解決しようとする課題】
【０００４】
特許文献１に記載の機器で受信した電子メール文などのテキスト情報を投射する場合、単に拡大および縮小して投射するだけでは投射内容がわかりにくくなるおそれがある。すなわち、何を基準に拡大および縮小するかについて開示されていないので、投射範囲に全文が収まらなかったり、投射範囲に余白が多すぎたりするとわかりづらくなる。また、受信した電子メールに添付されているファイル内の情報を投射する場合や、受信した電子メールが複数存在する場合には、受信メールと投射内容との関係がわかりにくくなるおそれがある。さらにまた、表示装置による表示とプロジェクタ装置による投射を行う場合には、双方に表示指示、投射指示を行うのは煩わしい。
【課題を解決するための手段】
【０００５】
請求項１に記載の発明による電子機器は、像を投射するプロジェクタ装置と、テキストを含む情報から生成した表示用データを表示する表示装置と、表示装置が表示する情報と同一の情報であって、少なくとも表示用データを含むように生成した投射用データによる像を投射するようにプロジェクタ装置を制御する投射制御手段とを備えることを特徴とする。
上記電子機器の投射制御手段は、少なくともテキストが並ぶ方向に表示装置が表示する文字数より多くの文字を含む像をプロジェクタ装置に投射させることもできる。
電子機器のプロジェクタ装置の投射解像度は表示装置の表示解像度より高くするとよい。
電子機器の投射制御手段は、情報に含まれる文字数に応じて投射像に許容する文字数および文字サイズを決定し、決定した文字数および文字サイズで構成される像をプロジェクタ装置に投射させることもできる。この場合の投射制御手段は許容する文字数に上限を定め、情報に含まれる文字数が上限を超える場合は、上限の文字数および上限に対応する文字サイズで構成される像をプロジェクタ装置に投射させるとともに、投射像の内容をスクロールさせることもできる。
請求項６に記載の発明による電子機器は、像を投射するプロジェクタ装置と、テキストを含む情報から生成した表示用データを表示する表示装置と、投射指示に応じて、表示装置に受信メールの内容を表示させ、表示されている受信メールに添付されているファイルの内容を含む像をプロジェクタ装置に投射させるように制御する制御手段とを備えることを特徴とする。電子機器はさらに、切替え指示に応じて受信メールに添付されているファイルの内容を表示装置に表示させるとともに、受信メールの内容をプロジェクタ装置に投射させるように制御手段に指令を送る切替え制御手段を備えてもよい。
請求項８に記載の発明による電子機器は、像を投射するプロジェクタ装置と、テキストを含む情報から生成した表示用データを表示する表示装置と、投射指示に応じて、表示装置に受信メールリストを表示させ、表示中の受信メールリストから選択された受信メールの内容を含む像をプロジェクタ装置に投射させるように制御する制御手段とを備えることを特徴とする。
請求項９に記載の発明による電子機器は、像を投射するプロジェクタ装置と、テキストを含む情報から生成した表示用データを表示する表示装置と、受信メール表示指示に応じてプロジェクタ装置の投射処理を開始する投射制御手段とを備えることを特徴とする。
【発明の効果】
【０００６】
請求項１に記載の発明による電子機器では、表示装置に表示される情報と同一の情報について、少なくとも表示装置の表示用データを含むように生成した投射用データによる像を投射するようにしたので、表示装置による表示内容より多くの内容がプロジェクタ装置から投射される結果、投射内容の方がわかりやすくなる。
請求項６に記載の発明による電子機器では、表示装置に受信メールの内容を表示させ、表示されている受信メールに添付されているファイルの内容を含む像をプロジェクタ装置に投射させるようにしたので、受信メールと投射内容との関係がわかりやすくなる。
請求項８に記載の発明による電子機器では、表示装置に受信メールリストを表示させ、表示中の受信メールリストから選択された受信メールの内容を含む像をプロジェクタ装置に投射させるようにしたので、受信メールと投射内容との関係がわかりやすくなる。
請求項９に記載の発明による電子機器では、受信メール表示指示に応じてプロジェクタ装置の投射処理を開始するようにしたので、使い勝手が向上する。
【発明を実施するための最良の形態】
【０００７】
以下、図面を参照して本発明を実施するための最良の形態について説明する。図１は、本発明の一実施の形態によるプロジェクタ付き携帯電話機１０の斜視図である。図１において、携帯電話機１０は操作部１と表示部２とが回動可能な折り畳みヒンジ部３で支持され、折り畳みヒンジ部３を回動中心に折り畳み自在（態様変更可能）に構成されている。折り畳みヒンジ部３には、操作部１および表示部２間の相対角θがたとえば、８０度の位置と１５０度の位置とに不図示のクリック機構が設けられている。８０度はプロジェクタ部の投影姿勢に対応し、１５０度は電話機の通話姿勢に対応する。
【０００８】
操作部１の底面１ａには、プロジェクタ付き携帯電話機１０を平面上に載置した場合に安定するように小型脚部１２ａ〜１２ｄが設けられている。操作部１の表示部２側の面１ｂには後述する第１操作部材１１２などが設けられ、操作部１の側面１ｃには小型脚部１１が設けられている。小型脚部１１は、プロジェクタ付き携帯電話機１０の相対角θを図１のように８０度に開いた状態（投影姿勢）で当該側面１ｃを下にして平面上に載置した場合（横位置載置）に、折り畳みヒンジ部３および表示部２に配設されている小型脚部２１とともに３点で安定して載置されるように構成されている。
【０００９】
表示部２の操作部１側の面２ｂには、後述するメイン液晶表示器２０４が配設され、表示部２の外側の面２ａには、サブ液晶表示器４が配設されている。表示部２の面２ａにはさらに、カメラの撮影レンズ５およびプロジェクタモジュール６がそれぞれ配設される。プロジェクタモジュール６は円筒形状に構成され、表示部２の面２ａに設けられている丸穴Ｍに回転自在に嵌入され、図１に示す正位置（０度とする）と、正位置を基準に左右それぞれの向きにプロジェクタモジュール６を９０度回転させた２つの位置との計３箇所にクリック機構（不図示）が設けられている。
【００１０】
図２は、図１のプロジェクタ付き携帯電話機１０の構成を説明するブロック図である。図２において、操作部１側にはＣＰＵ１０１と、メモリ１０２と、姿勢センサ１０３と、近距離通信部１０４と、ＴＶチューナー１０６と、マイク１０７と、外部インターフェイス（Ｉ／Ｆ）１０８と、電源１０９と、通信制御部１１０と、アンテナ７と、ＧＰＳアンテナ１１１と、第１操作部材１１２と、スピーカー１１３と、開閉角度スイッチ（ＳＷ）１１４とが備えられ、着脱可能なメモリカード１０５が実装されている。
【００１１】
表示部２にはカメラ部２００と、プロジェクタモジュール６（プロジェクタ部）と、第２操作部材２０５と、スピーカー２０６と、メイン液晶表示器２０４と、サブ液晶表示器４とが備えられている。
【００１２】
ＣＰＵ１０１は、制御プログラムに基づいて、プロジェクタ付き携帯電話機１０を構成する各部から入力される信号を用いて所定の演算を行うなどして、プロジェクタ付き携帯電話機１０の各部に対する制御信号を送出することにより、電話機動作、カメラ動作、プロジェクタ動作をそれぞれ制御する。なお、制御プログラムはＣＰＵ１０１内の不図示の不揮発性メモリに格納されている。
【００１３】
メモリ１０２はＣＰＵ１０１の作業用エリアとして使用される。姿勢センサ１０３は、プロジェクタ付き携帯電話機１０の姿勢を検出し、検出信号をＣＰＵ１０１へ送出する。これによりＣＰＵ１０１は、撮影時には画像の天地を示す天地情報（縦位置撮影および横位置撮影の識別を含む）を取得し、プロジェクタ使用時には図１に示すような縦位置載置の状態か、上述した横位置載置の状態かを判定する。
【００１４】
近距離通信部１０４は、たとえば、赤外線通信回路によって構成され、ＣＰＵ１０１の指令により外部機器との間でデータを送受信する。ＴＶチューナー１０６は、ＣＰＵ１０１の指令によりテレビ放送を受信する。ＣＰＵ１０１は、受信画像をメイン液晶表示器２０４に表示させ、受信音声をスピーカー２０６で再生させる。メモリカード１０５は不揮発性メモリによって構成され、ＣＰＵ１０１の指令により、例えばカメラ部２００より出力される画像データ、ＴＶチューナー１０６より出力される映像・音声データなどのデータの保存および読み出しが可能である。
【００１５】
マイク１０７は、集音した音声を電気信号に変換してＣＰＵ１０１へ送出する。音声信号は、録音時にはメモリカード１０５に記録され、通話時には通信制御部１１０へ送られる。外部インターフェイス１０８は、ＣＰＵ１０１の指令により不図示のケーブルまたはクレードルを介して外部機器との間でデータを送受信する。
【００１６】
スピーカー１１３は、ＣＰＵ１０１から出力された音声信号による音声を再生する。第１操作部材１１２は、電話機のダイヤルボタンなどを含み、押下されたボタンに対応する操作信号をＣＰＵ１０１へ送出する。ＧＰＳアンテナ１１１はＧＰＳ衛星からの信号を受信し、受信データをＣＰＵ１０１へ送出する。ＣＰＵ１０１は、ＧＰＳアンテナ１１１からの受信データを用いて位置情報を演算可能に構成されている。通信制御部１１０は無線送受信回路を含み、ＣＰＵ１０１の指令により不図示の基地局を介して他の電話機との間で通信を行う。通信制御部１１０は、電話音声の他にもカメラ部２００で撮影された画像データや、プロジェクタモジュール６で投射するための画像データなどを送受信可能に構成されている。アンテナ７は通信制御部１１０の送受信アンテナである。
【００１７】
電源１０９は、たとえば、着脱可能な電池パックおよびＤＣ／ＤＣ変換回路などで構成され、プロジェクタ付き携帯電話機１０内の各部に必要な電力を供給する。開閉角度ＳＷ１１４は、折り畳みヒンジ部３の回動角を検出し、操作部１および表示部２間の相対角θが８０度（投影姿勢）にされたことを検出するとオン信号（Ｈレベル）をＣＰＵ１０１へ送出し、上記角度以外ではオフ信号（Ｌレベル）を送出する。
【００１８】
メイン液晶表示器２０４は、ＣＰＵ１０１の指令により画像やテキストなどの情報を表示する。サブ液晶表示器４は、ＣＰＵ１０１の指令により画像やテキストなどの情報を表示する。第２操作部材２０５は、メイン液晶表示器２０４の表示内容に関連づけられたボタンなどを含み、押下されたボタンに対応する操作信号をＣＰＵ１０１へ送出する。スピーカー２０６は、相対角θが１５０度である通話姿勢時にＣＰＵ１０１から出力された音声信号による音声を再生する。
【００１９】
カメラ部２００は、撮影レンズ５と、イメージセンサ２０１と、レンズ駆動部２０２と、カメラ制御ＣＰＵ２０３とを含む。イメージセンサ２０１としてはＣＣＤやＣＭＯＳ撮像素子などが用いられる。カメラ制御ＣＰＵ２０３は、ＣＰＵ１０１の指令によりイメージセンサ２０１およびレンズ駆動部２０２を駆動制御する。レンズ駆動部２０２は、カメラ制御ＣＰＵ２０３からズーム制御信号を受けると、制御信号に応じて撮影レンズ５を構成するズームレンズ（不図示）をテレ側もしくはワイド側へ駆動する。撮影レンズ５は、イメージセンサ２０１の撮像面上に被写体像を結像させる。カメラ制御ＣＰＵ２０３はイメージセンサ２０１に撮像を開始させ、撮像終了後にイメージセンサ２０１から蓄積電荷信号を読み出し、所定の信号処理を施した上で画像データとしてＣＰＵ１０１へ送出する。なお、カメラ部２００で撮影した画像データを送信する場合にはＣＰＵ１０１から通信制御部１１０へ画像データが送出される。また、撮影画像を投射する場合にはカメラ制御ＣＰＵ２０３からＣＰＵ１０１を経由してプロジェクタモジュール６へ画像データが送出される。ＣＰＵ１０１では、プロジェクタモジュール６で投射される画像データに対して台形歪み補正処理が施される。
【００２０】
プロジェクタモジュール６は、投影レンズ６１と、液晶パネル６２と、ＬＥＤ光源６３と、ＬＥＤ駆動部６４と、液晶駆動部６５と、レンズ駆動部６６とを含む。ＬＥＤ駆動部６４は、ＣＰＵ１０１から出力されるＬＥＤ駆動信号に応じてＬＥＤ光源６３に電流を供給する。ＬＥＤ光源６３は、供給電流に応じた明るさで液晶パネル６２を照明する。
【００２１】
液晶駆動部６５は、画像データに応じて液晶パネル駆動信号を生成し、生成した駆動信号で液晶パネル６２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源６３からの光を変調することにより、液晶パネル６２が光像を生成する。液晶パネル６２は、１文字（全角）当たり１２ドット×１２ドット構成の場合に１画面当たり１８行×３０列表示する解像度を有する。この解像度は、メイン液晶表示器２０４の表示解像度より高い。
【００２２】
レンズ駆動部６６は、ＣＰＵ１０１から出力される制御信号に基づいて、投影レンズ６１を光軸に対して直交する方向へ進退駆動する。投影レンズ６１は、液晶パネル６２から射出される光像をスクリーンなどへ向けて投射する。
【００２３】
プロジェクタモジュール６による投射像について詳細に説明する。プロジェクタ付き携帯電話機１０は、操作部１および表示部２間の相対角θが８０度の投影姿勢に設定され、プロジェクタモジュール６の作動が許可されている場合に投射を行う。図３は、平面Ｐ上に上記縦位置で載置されたプロジェクタ付き携帯電話機１０からスクリーンＳに投射された像Ｉｖを説明する図である。図３(a)はスクリーンＳを正対する向きに見た図であり、図３(b)はスクリーンＳを右側方から見た図である。図３(a)において、投射像Ｉｖの投射光束の中心点Ｃはプロジェクタモジュール６の開口中心Ｏより上方向にオフセットされている。すなわち、図３(b)に示すように、投射光束の中心線Ｆｃが平面Ｐに平行な面に対して角度αの投影角度に調整されることにより、投射光束の下端が平面Ｐと平行もしくは上向きにされている。なお、プロジェクタモジュール６の回転位置は０度にセットされている。また、図中点Ｃは投射される光束の中心（投射像Ｉｖの中心）を表し、開口中心Ｏおよび点Ｃを結ぶ線が上記光束の中心線Ｆｃに相当する。
【００２４】
投射像のオフセットは上述した投影角度αによって得られるが、このままでの投射像は台形状になってしまう。そこで、上述したレンズ駆動部６６で投射レンズ６１をシフトさせてあおり効果を得たり、あおり効果に応じて投影する表示データに対するキーストン補正（台形歪み補正）を施すことによって投射像Ｉｖを方形状に補正する。レンズシフト量やキーストン補正量は、あらかじめ上記投影姿勢の状態で投射像Ｉｖを方形状に補正するための初期補正値がＣＰＵ１０１内に記憶されている。
【００２５】
本発明は、上記プロジェクタ付き携帯電話機１０が電子メールを受信した場合の動作に特徴を有する。図４および図５は、ＣＰＵ１０１で行われるプロジェクタ制御処理の流れを説明するフローチャートである。図４による処理は、プロジェクタ付き携帯電話機１０がメールを受信すると起動する。図４のステップＳ１１において、ＣＰＵ１０１は受信メールフォルダ内に格納されているメールリストから直近の着信メールを選択してステップＳ１２へ進む。受信メールフォルダは、たとえば、ＣＰＵ１０１内の不図示の不揮発性メモリ内の所定領域に割り当てられている。
【００２６】
ステップＳ１２において、ＣＰＵ１０１はメイン液晶表示器２０４に選択した受信メールの内容を表示させてステップＳ１３へ進む。ここで、メイン液晶表示器２０４の表示解像度は縦３２０ドット×横２４０ドット、文字表示範囲が縦２４０ドット×横２４０ドットであり、１文字（全角）当たり２４ドット×２４ドットで表示する場合には１０行×１０列で１画面を構成する。ＣＰＵ１０１は、受信メール文を表示するための表示データを生成し、生成した表示データをメイン液晶表示器２０４へ送出する。
【００２７】
ステップＳ１３において、ＣＰＵ１０１はプロジェクタモジュール６の投射スイッチがオンされているか否かを判定する。ＣＰＵ１０１は、第１操作部材１１２から投射オンを示す操作信号が入力されている場合にステップＳ１３を肯定判定してステップＳ１４へ進み、投射オフを示す操作信号が入力されている場合にはステップＳ１３を否定判定し、ステップＳ１２へ戻る。ステップＳ１２へ戻る場合は、メイン液晶表示器２０４にのみ受信メールの内容を表示し、プロジェクタモジュール６の投射処理へ進まない。
【００２８】
ステップＳ１４において、ＣＰＵ１０１はプロジェクタモジュール６の初期設定を施してステップＳ１５へ進む。初期設定は、液晶駆動部６５を初期化する、上記初期補正値に対応するレンズシフトをレンズ駆動部６６に行わせる、およびＬＥＤ光源６３のオフを維持する、を含む。
【００２９】
ステップＳ１５において、ＣＰＵ１０１は表示サイズ（投射文字数）の決定処理を行う。ＣＰＵ１０１は、上記選択した受信メールの全文の文字数に応じてそれぞれ以下のように表示サイズを決定し、図５のステップＳ２１へ進む。
【００３０】
Ａ．文字数が１０４文字以下の場合はステップＳ１６へ進み、１文字（全角）当たり２４ドット×２４ドット構成、および１画面当たり８行×１３列構成とする。
Ｂ．文字数が１０５〜１６０文字の場合はステップＳ１７へ進み、１文字（全角）当たり２０ドット×２０ドット構成、および１画面当たり１０行×１６列構成とする。
Ｃ．文字数が１６１〜２６０文字の場合はステップＳ１８へ進み、１文字（全角）当たり１６ドット×１６ドット構成、および１画面当たり１３行×２０列構成とする。
Ｄ．文字数が２６１〜５４０文字の場合はステップＳ１９へ進み、１文字（全角）当たり１２ドット×１２ドット構成、および１画面当たり１８行×３０列構成とする。
Ｅ．文字数が５４１文字以上の場合はステップＳ２０へ進み、１文字（全角）当たり１２ドット×１２ドット構成、および１画面当たり１８行×３０列構成にするとともに、複数画面（ページ）構成とする。
【００３１】
図５のステップＳ２１において、ＣＰＵ１０１はメイン液晶表示器２０４の表示をオフ（消灯）させてステップＳ２２へ進む。ステップＳ２２において、ＣＰＵ１０１はプロジェクタモジュール６に対し、上述したように決定した表示サイズ（投射文字数）で受信メールの内容を投影させてステップＳ２３へ進む。具体的には、上記投射文字数で液晶パネル６２上にメール文を形成するように液晶駆動部６５へ指令および投射用データを送り、ＬＥＤ光源６３をオンするようにＬＥＤ駆動部６４へ指令を送る。これにより、プロジェクタモジュール６によって横長画面（行数より列数が多い）でメール文が投射される。なお、メール文を横書き（テキストを横に並べる）で投射する場合に横長画面とするものであり、メール文を縦書き（テキストを縦に並べる）で投射する場合には縦長画面（列数より行数が多い）にすると読みやすい。
【００３２】
図６は、プロジェクタモジュール６による投射像Ｉｖ、およびメイン液晶表示器２０４による表示内容を説明する図である。縦横の文字数が等しく（１０×１０）表示されているメイン液晶表示器２０４の画面に比べて、投射像Ｉｖでは横方向の文字数が多くなるように縦横比率（行列比率）が変更されている。なお、実際にはメール文を投射する前にメイン液晶表示器２０４を消灯するので、メール文の表示および投射が同時に行われることはない。
【００３３】
ステップＳ２３において、ＣＰＵ１０１はパターン「Ｅ」か否かを判定する。ＣＰＵ１０１はステップＳ１５で決定した表示サイズが上記「Ｅ」である場合にステップＳ２３を肯定判定してステップＳ２４へ進み、表示サイズが上記「Ａ」〜「Ｄ」のいずれかである場合にはステップＳ２３を否定判定し、ステップＳ２７へ進む。
【００３４】
ステップＳ２４において、ＣＰＵ１０１は投射中のメール内容を上方向へスクロールさせてステップＳ２５へ進む。スクロールの速さは、たとえば、２秒／１行とする。
【００３５】
図７は、プロジェクタモジュール６による投射像Ｉｖ、およびメイン液晶表示器２０４による表示内容を説明する図である。投射像Ｉｖは、メール文が徐々に上方向にスクロールされる。なお、実際にはメール文を投射する前にメイン液晶表示器２０４を消灯するので、メール文の表示および投射が同時に行われることはない。
【００３６】
ステップＳ２５において、ＣＰＵ１０１はスクロールが終了したか否かを判定する。ＣＰＵ１０１は複数ページの最終頁の全てが表示されるまでスクロールされた場合にステップＳ２５を肯定判定してステップＳ２６へ進み、最終頁の全てが表示されるまでスクロールされていない場合にはステップＳ２５を否定判定し、ステップＳ２４へ戻る。ステップＳ２４へ戻る場合はスクロールが継続される。
【００３７】
ステップＳ２６において、ＣＰＵ１０１はメイン液晶表示器２０４の表示内容のスクロールを終了させてステップＳ２７へ進む。
【００３８】
ステップＳ２７において、ＣＰＵ１０１は添付ファイル表示ボタンが押下されたか否かを判定する。ＣＰＵ１０１は、表示中のメールに添付されているファイルを表示させるボタンが押下されたか否かを判定する。ＣＰＵ１０１は、第１操作部材１１２から添付ファイル表示を示す操作信号が入力された場合にステップＳ２７を肯定判定してステップＳ２８へ進み、添付ファイル表示を示す操作信号が入力されていない場合にはステップＳ２７を否定判定し、当該判定処理を繰り返す。添付ファイル表示を示す操作信号は、プロジェクタモジュール６に対する投射指示に相当する。
【００３９】
ステップＳ２８において、ＣＰＵ１０１は添付ファイルがあるか否かを判定する。ＣＰＵ１０１は、表示中のメールにファイルが添付されている場合にステップＳ２８を肯定判定してステップＳ２９へ進み、表示中のメールにファイルが添付されていない場合にはステップＳ２８を否定判定し、ステップＳ３３へ進む。
【００４０】
ステップＳ２９において、ＣＰＵ１０１はプロジェクタモジュール６に対し、添付ファイルの内容を投影させてステップＳ３０へ進む。ステップＳ３０において、ＣＰＵ１０１はメイン液晶表示器２０４にメール文を再び表示させてステップＳ３１へ進む。メイン液晶表示器２０４による表示サイズは、上述したように１文字（全角）当たり２４ドット×２４ドット、１画面当たり１０行×１０列である。
【００４１】
図８は、プロジェクタモジュール６による投射像Ｉｖ、およびメイン液晶表示器２０４による表示内容を説明する図である。メイン液晶表示器２０４の画面にメール文が表示されており、添付ファイルによる再生画像（添付ファイルが画像ファイルの場合）が投射されている（投射像Ｉｖ）。ここで、メイン液晶表示器２０４の画面下部に「切替」メニューが表示され、この状態において第１操作部材１１２の中で上記表示「切替」に最も近接する操作ボタン１１２ｐが「表示切替ボタン」として扱われる。
【００４２】
ステップＳ３１において、ＣＰＵ１０１は「表示切替ボタン」が押下されたか否かを判定する。ＣＰＵ１０１は、操作ボタン１１２ｐに対応する操作信号が入力されるとステップＳ３１を肯定判定してステップＳ３２へ進み、、操作ボタン１１２ｐに対応する操作信号が入力されない場合にはステップＳ３１を否定判定し、ステップＳ３３へ進む。
【００４３】
ステップＳ３２において、ＣＰＵ１０１はプロジェクタモジュール６による投射内容とメイン液晶表示器２０４の表示内容とを入替えさせてステップＳ３３へ進む。ステップＳ３３において、ＣＰＵ１０１はメール表示を終了させる操作が行われたか否かを判定する。ＣＰＵ１０１は、第１操作部材１１２から終了操作信号が入力されている場合にステップＳ３３を肯定判定して図５による処理を終了し、終了操作信号が入力されていない場合にはステップＳ３３を否定判定し、当該判定処理を繰り返す。
【００４４】
以上説明した実施形態についてまとめる。
（１）プロジェクタ付き携帯電話機１０は受信メールの内容をメイン液晶表示器２０４に表示する。プロジェクタモジュール６の投射スイッチがオンされている場合には、メイン液晶表示器２０４に表示する代わりにプロジェクタモジュール６により投射する。プロジェクタモジュール６に投射させる際にメイン液晶表示器２０４の表示をオフする（ステップＳ２１）ので、重複する内容を同時に表示／投射することがなく、電力が無駄に消費されることがない。
【００４５】
（２）プロジェクタ付き携帯電話機１０のプロジェクタモジュール６には、縦横の文字数が１０×１０で表示されるメイン液晶表示器２０４の表示画面に比べて多くの文字数を投射する液晶パネル６２を備えるようにしたので、メイン液晶表示器２０４の表示解像度より高い投射解像度が得られる。これにより、１画面の投射像で多くの情報を提供することができる。
【００４６】
（３）上記（２）に加えて、プロジェクタ付き携帯電話機１０は、縦横の文字数が等しく（１０×１０）表示されているメイン液晶表示器２０４の表示画面に比べて、横方向の文字数が多くなるように縦横比率（行列比率）を変更（ステップＳ１５〜Ｓ２０）した上で受信メールの内容を投射する（ステップＳ２２）ようにした。１行当たりの文字数を多くすることにより、投射像におけるメール文の認識性を高めることができる。とくに、横書き表示の場合に横方向の文字数を多くすることによって改行を減らし、語句が途中で途切れる確率を低くすることができる。
【００４７】
（４）投射画面における縦横比率（行列比率）は、受信メールの全文の文字数に応じてＡ〜Ｄの４通りに決定するようにしたので、投射画面の全体を有効に使用して文字が投射される。この結果、たとえば、投射画面の一部の領域だけに偏って文字が投射され、大きな空白領域が生じることがなくなり、投射像におけるメール文の認識性を高めることができる。
【００４８】
（５）１画面当たりの文字数の上限を上記Ｄの場合の５４０文字と定め、受信メールの全文の文字数が５４０文字を超える場合は、１画面当たりの文字数を５４０文字にした上で複数ページで表す（パターンＥ）ようにした（ステップＳ２０）。これにより、投射像における文字が小さくなりすぎてメール文の認識性が下がることを防止できる。
【００４９】
（６）パターンＥの場合には、１行当たり２秒の速さで投射像をスクロールさせるようにした（ステップＳ２４）ので、投射ページの変更操作が不要で使い勝手が向上する。
【００５０】
（７）プロジェクタモジュール６により投射中のメールにファイル添付されている場合、プロジェクタモジュール６に添付ファイルの内容を投影させ（ステップＳ２９）、メイン液晶表示器２０４にメール文を再び表示させる（ステップＳ３０）ようにした。したがって、画像データファイルが添付されている場合には、添付ファイルによる再生画像をメイン液晶表示器２０４の表示画面より高詳細の投射像として閲覧できる。
【００５１】
（８）上記（７）の状態で、「表示切替ボタン」が押下された場合にプロジェクタモジュール６による投射内容とメイン液晶表示器２０４の表示内容とを入替えるようにしたので、添付ファイルによる再生画像を投射している途中でメール文を投射したくなった場合などに有効である。
【００５２】
上述した例では、表示（もしくは投射）の対象として受信メールフォルダ内に格納されているメールリストから直近の着信メールを選択する（ステップＳ１１）ようにしたが、メールリストから選択可能に構成してもよい。図９は、プロジェクタモジュール６による投射像Ｉｖ、およびメイン液晶表示器２０４による表示内容を説明する図である。メイン液晶表示器２０４の画面にメールリスト（一覧表示）が表示されており、メールリストの中で選択されたメールの内容が投射されている（投射像Ｉｖ）。ここで、第１操作部材１１２が操作されて異なるメールを選択するための操作信号が入力された場合、ＣＰＵ１０１は、対応するメールの内容を受信メールフォルダから読み出してプロジェクタモジュール６に投射させる。異なるメールを選択するための操作信号は、プロジェクタモジュール６に対する投射指示に相当する。
【００５３】
上記の説明では、プロジェクタモジュール６に対する投射指示（スイッチオン）に応じて（ステップＳ１３において肯定判定）投射処理へ進むようにしたが、メールを受信した場合に必ず投射処理へ進むようにしてもよい。
【００５４】
また、メイン液晶表示器２０４に受信メールに関する表示を行う指示（ステップＳ１２）が行われた場合に、自動的に投射処理へ進むようにしてもよい。この場合には、プロジェクタモジュール６に対する投射指示（スイッチオン）を省略でき、使い勝手がよくなる。
【００５５】
なお、プロジェクタモジュール６に投射を指示するか否かの設定は、専用のプロジェクタオン／オフスイッチを設けて行ってもよいし、メニュー設定によってオン／オフを設定してもよい。
【００５６】
プロジェクタモジュール６はメイン液晶表示器２０４に表示する場合より多くの情報を投射できるので、メールリスト（一覧表示）をプロジェクタモジュール６で投射させるようにしてもよい。たとえば、あらかじめプロジェクタモジュール６による投射が指示（スイッチオン）されている場合に、プロジェクタ付き携帯電話機１０の電源が投入されると所定時間（たとえば、１分間）投射する。これにより、新着メールの有無を投射像で確認することができる。
【００５７】
以上の説明では、受信メールの内容をプロジェクタモジュール６で投射する場合を例にあげて説明したが、受信メールに代えてＷｅｂによる閲覧内容を投射する場合にも適用できる。
【００５８】
電子機器の例としてプロジェクタ付き携帯電話機１０を例にあげて説明したが、メールもしくはＷｅｂによる閲覧内容を表示する表示機能と、これらを投射する投射機能とを有するＰＤＡなどでもよい。
【００５９】
特許請求の範囲における各構成要素と、発明を実施するための最良の形態における各構成要素との対応について説明する。ライトバルブは、たとえば、液晶パネル６２によって構成される。プロジェクタ装置は、たとえば、プロジェクタモジュール６によって構成される。表示装置は、たとえば、メイン液晶表示器２０４によって構成される。制御手段、投射制御手段および切替え制御手段は、たとえば、ＣＰＵ１０１によって構成される。なお、本発明の特徴的な機能を損なわない限り、各構成要素は上記構成に限定されるものではない。
【図面の簡単な説明】
【００６０】
【図１】本発明の一実施の形態によるプロジェクタ付き携帯電話機の斜視図である。
【図２】プロジェクタ付き携帯電話機の構成を説明するブロック図である。
【図３】プロジェクタ付き携帯電話機による投射像を説明する図であり、(a)はスクリーンを正対する向きに見た図、(b)はスクリーンを右側方から見た図である。
【図４】ＣＰＵで行われるプロジェクタ制御処理の流れを説明するフローチャートである。
【図５】ＣＰＵで行われるプロジェクタ制御処理の流れを説明するフローチャートである。
【図６】プロジェクタモジュールによる投射像、およびメイン液晶表示器による表示内容を説明する図である。
【図７】プロジェクタモジュールによる投射像、およびメイン液晶表示器による表示内容を説明する図である。
【図８】プロジェクタモジュールによる投射像、およびメイン液晶表示器による表示内容を説明する図である。
【図９】プロジェクタモジュールによる投射像、およびメイン液晶表示器による表示内容を説明する図である。
【符号の説明】
【００６１】
１…操作部
２…表示部
３…折り畳みヒンジ部
６…プロジェクタモジュール
１０…プロジェクタ付き携帯電話機
６２…液晶パネル
６３…ＬＥＤ光源
１０１…ＣＰＵ
１０３…姿勢センサ
１１２…第１操作部材
２００…カメラ部
２０４…メイン液晶表示器
Ｉｖ…投射像
Ｓ…スクリーン
【図１】
2006091112.tif 000003
【図２】
2006091112.tif 000004
【図３】
2006091112.tif 000005
【図４】
2006091112.tif 000006
【図５】
2006091112.tif 000007
【図６】
2006091112.tif 000008
【図７】
2006091112.tif 000009
【図８】
2006091112.tif 000010
【図９】
2006091112.tif 000011